【事件の表示】
　平成１１年特許願第２６１６５４号「中空形材押出ダイス及び中空押出形材」拒絶査定不服審判事件〔平成１３年３月２７日出願公開、特開２００１−７９６１０〕について、次のとおり審決する。
【結　論】
　本件審判の請求は、成り立たない。
【理　由】
１．手続の経緯・本願発明
　
　本願は、平成１１年９月１６日の出願であって、その請求項１〜４に係る発明は、平成１７年９月２７日付手続補正書によって補正された特許請求の範囲の請求項１〜４に記載された事項により特定されるとおりのものと認められるところ、そのうち、請求項２に係る発明（以下、「本願発明２」という。）は、次のとおりである。
「　　【請求項２】　内外に複数の層を有した中空形材であって、前記各層の溶着部間の体積配分に対応し、かつ、前記溶着部間の体積配分比と下記（４）式に示す通過流量比とが一致するように開口形状が設定された複数のエントリーポートで溶着材料を分流し、これらエントリーポートを通過させて合流及び溶着させた後にダイス穴から中空状に押し出して成形されていることを特徴とする中空押出形材。
　Ｘｉ＝ｆ（ｒｉ）・ｇ（Ｓｉ、Ｌｉ、Ｈｉ）・ｈ（Ｓｉ、Ｈｉ）
　　　　　　　　　　　　　　　　　　　　　　　　　　　・・・（４）
　ここで、各エントリーポートの、開口面積をＳｉ、周長をＬｉ、深さをＨｉ、ダイス中心に対する中心位置をｒｉ、位置流速比関数をｆ（ｒｉ）、形状流速比関数をｇ（Ｓｉ、Ｌｉ、Ｈｉ）、寸法流速比関数をｈ（Ｓｉ、Ｈｉ）、通過流量比をＸｉとする。尚、ｉは各エントリーポートを特定するための変数であって、ｉ＝１〜ｎ（ｎは自然数）である。」
　
　
２．引用例とその記載事項
　
　原査定の拒絶の理由に引用された、本願出願前に頒布された刊行物である特開昭５８−１１０１１９号公報（以下、「引用例１」という。）、及び、特開平９−５７３３４号公報（以下、「引用例２」という。）には、次の事項が記載されている。
　
（１）引用例１：特開昭５８−１１０１１９号公報
（１ａ）「　第１図は、たとえば磁気テープの巻胴（リール）等の高精度の要求される用途に使用されるような断面円形の多孔押出型材（１）を示すものであり、円形の外周壁（２）と、その内側に直径の小さい別の円形の内周壁（３）とを有し、これら内外両周壁（２）（３）が複数個の隔壁部分（４）によって一体に連続され、中央の第１中空部（４）のまわりに、これをとり囲むように内外両周壁（２）（３）間に断面円弧状の複数個の第２中空部（５）が形成された断面形状を有するものである。」（３頁右上欄１３行〜左下欄４行）
　
（１ｂ）「　第２図は上記押出型材（１）を製造するためのダイスを示すもので、１つの雌型（１０）と、２つに分割された第１雄型（２０）及び第２雄型（３０）とよりなる。」（３頁左下欄５〜７行）
　
（１ｃ）「　上記雌型（１０）は第３図ないし第４図に示されるように、盤状本体（１１）の片面中央部に、周縁部に所定間隔置きに複数個の凹状切欠部（１２ａ）を放射状配置に形成した加熱ビレット流入凹部（１２）を有し、該凹部（１２）に連続して他面に連通状に円形の成形開孔部（１３）が形成されており、この成形開孔部（１３）の基端のベアリング部（１３ａ）で押出型材（１）の外周壁（２）の外面を形成するものとなされている。
　第１雄型（２０）は、第５図および第６図に詳細に示されているように、その盤状本体（２１）の片面中央部にマンドレル状に突出した横断面円形の第１中空部成形用凸部（２２）を有し、かつこの凸部（２２）のまわりの位置に、軸線方向に盤状本体（２１）を貫通した３個の加熱ビレット流入孔（２３）を有する。上記の第１中空部成形用凸部（２２）は第２雄型（３０）の中央部を貫通して雌型（１０）の成形開孔部（１３）内に臨み、先端部外周面に形成されたベアリング部（２２ａ）によって前記中空押出型材（１）の内周壁（３）の内面、即ち第１中空部（４）を形成するものである。
　第２雄型（３０）は、第７図および第８図に示すように、盤状本体（３１）の中央部に前記第１雄型（２０）の第１中空部形成用凸部（２２）が貫通する第１雄型貫通孔（３２）を有し、かつその周りの位置の片面に、円周方向に所定間隔置きに複数個の断面円弧状の第２中空部成形用凸部（３３）を有すると共に、更にその外側に本体（３１）を貫通する複数個の加熱ビレット流通孔（３４）が所定間隔置きに設けられている。第１雄型貫通孔（３２）は第１雄型（２０）の第１中空部成形用凸部（２２）の外径よりも径大であり、それらの間に加熱ビレットの通路間隙を形成しうるものとなされると共に、この間隙に円滑にビレットを導くため、一端部が摺鉢状の拡大部（３２ａ）に形成されている。また第２中空部成形用凸部（３３）は、ダイスの組立状態において雌型（１０）の成形開孔部（１３）内周面と前記第１中空部成形用凸部（２２）との間の中間に、それらのいずれからも遊離して位置されるものとなされており、その先端部に形成されたベアリング部（３３ａ）によって、前記中空押出型材（１）の内周壁（３）と外周壁（２）との間に第２中空部（５）を形成するものとなっている。」（３頁左下欄９行〜４頁左上欄１３行）
　
（１ｄ）「　上記ダイスにおいて、押出機のコンテナ内で加熱されたアルミニウムビレットは、第１雄型（２０）の各ビレット流入孔（２３）に分かれて流れ込み、次いで第２雄型（３０）の中央の第１雄型貫通孔（３２）とそのまわりのビレット流通孔（３４）にほぼ均等な圧力で流れを分散されながら流れ込む。そして、更にこの流れの一部は雌型（１０）のビレット流入凹部（１２）を経由してここで合流し、いずれもほぼ等速に雌雄各型（１０）（２０）（３０）のベアリング部（１３ａ）（２２ａ）（３３ａ）間の成形間隙から押出されて、第１図に示すような中空押出型材（１）に成形される。」（４頁右上欄１３行〜左下欄５行）
　
（２）引用例２：特開平９−５７３３４号公報
（２ａ）「【請求項１】　雄型が、
ビレット金属を押出材の横断面形状・サイズに応じてバランス良く溶着室に供給する複数のポート孔が備えられた第１雄型構成部材と、
ビレット金属を第１雄型構成部材の各ポート孔にそれぞれ量的にバランス良く分配供給する複数のポート孔が備えられた第２雄型構成部材と、
からなり、
該第２雄型構成部材が、前記第１雄型構成部材の後部に組み合わされてなることを特徴とする中空材押出用ダイス。」（２頁左欄２〜１２行）
　
（２ｂ）「第１雄型構成部材（６）は、円盤状の部材で、その前端面中央部に前方突出状の成形凸部（９）を有し、その先端部外周面に中空押出材（Ｅ）の中空部を成形するベアリング部（１０）が形成され、雌雄組み合わせ状態において雌型（２）の成形孔ベアリング部（４）との間に偏平方形状の環状成形隙間（１１）が形成されるようになされている。そして、図２（イ）に示されるように、この成形凸部（９）の周囲において、この第１雄型構成部材（６）には、これを前後方向に貫通する複数のポート孔（１２）・・・が設けられている。各ポート孔（１２）・・・は、ビレット金属（Ｂ）を押出材（Ｅ）の横断面形状・サイズに応じてバランス良く溶着室（５）に供給するような、配置関係、横断面形状・サイズ形態に形成されている。」（３頁左欄３５〜４８行）
　
（２ｃ）「第２雄型構成部材（７）は、同じく円盤状の部材で、図２（ロ）に示されるように、前記第１雄型構成部材（６）のポート孔（１２）・・・に対応する同数の複数のポート孔（１３）・・・が、この第２雄型構成部材（７）を前後方向に貫通するように形成されている。そして、各ポート孔（１３）・・・は、ビレット金属（Ｂ）を第１雄型構成部材（６）の各ポート孔（１２）・・・にそれぞれ量的にバランス良く分配供給するような態様において形成されている。」（３頁右欄４〜１２行）
　
（２ｄ）「コンテナ（１５）内のビレット金属（Ｂ）は、第２雄型構成部材（７）により、第１雄型構成部材（６）の各ポート孔（１２）・・・にそれぞれ量的にバランス良く分配供給される。そして、このように第１雄型構成部材（６）の各ポート孔（１２）・・・に量的にバランス良く分配供給された各ビレット金属（Ｂ）は、該各ポート孔（１３）・・・を通過することによって、押出材（Ｅ）の横断面形状・サイズに応じたバランスの良い状態で溶着室（５）に供給され、そこで互いに圧着されて、成形隙間（11）を通過する。従って、上記のような偏平方形状の中空押出材（Ｅ）が形状安定性良く押出加工されていく。」（３頁右欄２９〜４１行）
　
（２ｅ）図３には、偏平方形状の中空押出材（Ｅ）が示され、図２には、その偏平方形状の中空押出材に対応した形状のベアリング部（１０）が設けられるとともに、ポート孔（１２）が４箇所設けられていることが示されている。
　
　
３．引用例１に記載された発明
　
　引用例１の摘記（１ｄ）によれば、アルミニウムビレットは第１雄型（２０）のビレット流入孔（２３）に分かれて流れ込み、次いで第２雄型（３０）の中央の第１雄型貫通孔（３２）とそのまわりのビレット流通孔（３４）にほぼ均等な圧力で流れを分散されながら流れ込むこと、そして、ビレット流通孔（３４）の流れの一部は雌型（１０）のビレット流入凹部（１２）を経由してここで合流し、ベアリング部（１３ａ）（２２ａ）（３３ａ）間の成形間隙から押出されて、中空押出型材（１）に成形されるものであって、引用例１の摘記（１ａ）の中空押出型材の形状と、引用例１の摘記（１ｂ）、（１ｃ）のダイスの形状から明らかに、分散された流れは場所によっては合流及び溶着された後に押し出されるものであることがわかる。
　
　以上の事項を考慮して、引用例１の摘記（１ａ）〜（１ｄ）の記載事項を整理すると、引用例１には、次の「中空押出型材」についての発明（以下、「引用例１発明」という。）が記載されていると認められる。
　
「内外に複数の層を有した中空型材であって、複数のビレット流入孔およびビレット流通孔でビレットを分流し、これらビレット流入孔およびビレット流通孔を通過させて合流及び溶着させた後にベアリング部の成形間隙から中空状に押し出して成形されていることを特徴とする中空押出型材。」
　
　
４．対比・判断
　
　引用例１発明における「ビレット」、「ベアリング部の成形間隙」、「中空型材」、「中空押出型材」は、本願発明２における「溶着材料」、「ダイス穴」、「中空形材」、「中空押出形材」にそれぞれ相当する。
　また、引用例１発明における、「ビレット流通孔」、「ビレット流入孔」はいずれもビレットを流す孔であるから、本願発明２における「エントリーポート」に相当する。
　
　以上によれば、両者は、
　
「内外に複数の層を有した中空形材であって、複数のエントリーポートで溶着材料を分流し、これらエントリーポートを通過させて合流及び溶着させた後にダイス穴から中空状に押し出して成形されていることを特徴とする中空押出形材。」の点で一致し、次の点で相違する。
　
＜相違点＞
　本願発明２では、エントリーポートの開口形状が、中空形材の各層の溶着部間の体積配分に対応し、かつ溶着部間の体積配分比と下記（４）式に示す通過流量比とが一致するように設定されているのに対し、引用例１発明におけるエントリーポートの開口形状がどのように定められたか具体的に記載されていない点。
（４）式：
　Ｘｉ＝ｆ（ｒｉ）・ｇ（Ｓｉ、Ｌｉ、Ｈｉ）・ｈ（Ｓｉ、Ｈｉ）
　ここで、各エントリーポートの、開口面積をＳｉ、周長をＬｉ、深さをＨｉ、ダイス中心に対する中心位置をｒｉ、位置流速比関数をｆ（ｒｉ）、形状流速比関数をｇ（Ｓｉ、Ｌｉ、Ｈｉ）、寸法流速比関数をｈ（Ｓｉ、Ｈｉ）、通過流量比をＸｉとする。尚、ｉは各エントリーポートを特定するための変数であって、ｉ＝１〜ｎ（ｎは自然数）である。
　
　以下、上記相違点について検討する。
　
　引用例２の摘記（２ａ）〜（２ｅ）の記載事項を総合的にみれば、４つのポート孔（１２）（本願発明２におけるエントリーポートに相当するので、以下「エントリーポート」という。）から供給されたビレット金属（Ｂ）を、偏平方形状をしたベアリング部（１０）を用いて、偏平方形状の中空押出材（Ｅ）を押出加工することがわかる。
　また、このエントリーポートは、方形状の辺に対応して設けられており、摘記（２ｂ）にあるように、「横断面形状・サイズに応じてバランス良く溶着室（５）に供給するような、配置関係、横断面形状・サイズ形態に形成されている」ものであって、それゆえに摘記（２ｄ）にあるように、ビレット金属（Ｂ）は「押出材（Ｅ）の横断面形状・サイズに応じたバランスの良い状態で溶着室（５）に供給され、そこで互いに圧着されて、成形隙間（11）を通過する。従って、上記のような偏平方形状の中空押出材（Ｅ）が形状安定性良く押出加工されていく。」ものであるから、中空押出材（Ｅ）の溶着は押出材の角部で起こっているといえる。そして、それぞれのエントリーポートから供給されるビレット金属（Ｂ）と溶着部間の体積配分が異なると、「バランスの良い状態で溶着室（５）に供給され、そこで互いに圧着され」ないことになるのは明らかであるから、エントリーポートから供給されるビレット金属（Ｂ）は溶着部間の体積配分に対応しているといえる。
　加えて、上記（４）式は、具体的な関数が記載されているわけではなく、エントリーポートの位置、形状、寸法を何らかの数式を用いて決定しようとしているものにすぎず、引用例２においても、エントリーポートは、摘記（２ｂ）にあるように「配置関係、横断面形状・サイズ形態に形成されて」いるものであって、装置等の設計等において、種々の要素が存在する場合にこれを数式化し、設計等を効率的に行うことは当然要求されることである。
　してみると、エントリーポートの開口形状を諸々の要素に配慮して決定するという点で、本願発明２は引用例２とは実質的な相違があるとはいえず、このため上記相違点は、引用例２の記載および慣用技術から当業者が容易になし得たことというべきである。
　
　そして、本願発明２は、引用例１、２の記載から予測できないような格別に顕著な効果を奏するとは認められない。
　
　したがって、本願発明２は、引用例１、２に記載された発明に基づいて当業者が容易に発明をすることができたものである。
　
　
４．むすび
　
　以上のとおりであるから、本願発明２は、特許法第２９条第２項の規定により特許を受けることができない。
　したがって、その余の発明について検討するまでもなく、本願は拒絶すべきものである。
　よって、結論のとおり審決する。